(57)【要約】【課題】同時に複数のユーザが、それぞれ所持する携帯端末をポスターにかざした場合でも、携帯端末において情報を確実に出力する。【解決手段】ＲＷコントローラ１１０は、携帯端末２００の端末ＩＤと、該端末ＩＤの携帯端末２００を検出した非接触ＩＣチップＲＷ１０２のＩＤ（ＲＷ  ＩＤ）とを対応付けして登録する未出力施設管理ＤＢ１２０と、ＲＷ  ＩＤの送信を完了した場合に、未出力施設管理ＤＢ１２０に登録されている該ＲＷ  ＩＤ及び該ＲＷ  ＩＤが対応付けされている端末ＩＤを削除する出力済端末削除部１１７とを備え、未出力施設管理ＤＢ１２０に登録されている同一の端末ＩＤに対応付けられている全てのＲＷ  ＩＤを送信する。【選択図】図２
2008083936.tif 000002
【特許請求の範囲】
【請求項１】
非接触ＩＣチップを搭載する携帯端末が、掲示物に表示されている複数の施設の何れかに近づいた場合に、前記携帯端末に前記施設に関連する情報を外部出力させる情報提供システムにおいて、
前記複数の施設の表示に対応付けて前記掲示物に配置されて、前記非接触ＩＣチップにより前記携帯端末を検出するもので、リーダライタ識別情報により識別される複数の非接触ＩＣチップリーダライタと、
前記携帯端末を検出した非接触ＩＣチップリーダライタのリーダライタ識別情報を該非接触ＩＣチップリーダライタを介して送信する送信手段と、
前記送信手段が送信するリーダライタ識別情報を取得して、取得したリーダライタ識別情報に対応する施設に関連する情報を前記携帯端末に送信する情報管理サーバと、を備え、
前記送信手段は、前記非接触ＩＣチップリーダライタのリーダライタ識別情報を送信する場合に、該リーダライタ識別情報に、該リーダライタ識別情報の非接触ＩＣチップリーダライタより前に前記携帯端末を検出し、送信が完了されていない非接触ＩＣチップリーダライタのリーダライタ識別情報を加えて送信しており、
前記携帯端末は、前記情報管理サーバから送信されてくる前記施設に関する情報を外部出力することを特徴とする情報提供システム。
【請求項２】
前記携帯端末は、端末識別情報を保持するものであり、
前記携帯端末の端末識別情報と、該端末識別情報の携帯端末を検出した非接触ＩＣチップリーダライタのリーダライタ識別情報とを対応付けして登録するデータベースと、前記送信手段がリーダライタ識別情報の送信を完了した場合に、前記データベースに登録されている該リーダライタ識別情報及び該リーダライタ識別情報が対応付けされている端末識別情報を削除する情報削除手段と、を備え、
前記送信手段は、前記データベースに登録されている同一の端末識別情報に対応付けられている全てのリーダライタ識別情報を送信することを特徴とする情報提供システム。
【請求項３】
非接触ＩＣチップを搭載する携帯端末が、掲示物に表示されている複数の施設の何れかに近づいたことを非接触ＩＣチップリーダライタにより検出するものであり、その検出に対応して情報管理サーバが前記掲示物に掲示されている施設に関連する情報を前記携帯端末に送信し、前記携帯端末が前記掲示物に掲示されている施設に関連する情報を外部出力できるようにする携帯端末間通信装置であって、
前記複数の施設の表示に対応付けて前記掲示物に配置されて、前記非接触ＩＣチップにより前記携帯端末を検出するもので、リーダライタ識別情報により識別される複数の非接触ＩＣチップリーダライタと、
前記複数の非接触ＩＣチップリーダライタにおける処理を制御するリーダライタ制御手段と、を備え、
前記リーダライタ制御手段は、前記非接触ＩＣチップリーダライタが前記携帯端末を検出した場合に、前記携帯端末を検出した前記非接触ＩＣチップリーダライタのリーダライタ識別情報を該非接触ＩＣチップリーダライタを介して送信しており、その送信をする場合には、該リーダライタ識別情報に、該リーダライタ識別情報の非接触ＩＣチップリーダライタより前に前記携帯端末を検出し、送信が完了されていない非接触ＩＣチップリーダライタのリーダライタ識別情報を加えて送信し、
前記情報管理サーバは、前記リーダライタ制御手段が送信するリーダライタ識別情報を取得して、取得したリーダライタ識別情報に対応する施設に関連する情報を前記携帯端末に送信し、
前記携帯端末は、前記情報管理サーバから送信されてくる情報を外部出力することを特徴とすることを特徴とする携帯端末間通信装置。
【請求項４】
前記携帯端末は、端末識別情報を保持するものであり、前記リーダライタ制御手段は、前記携帯端末の端末識別情報と、該端末識別情報の携帯端末を検出した非接触ＩＣチップリーダライタのリーダライタ識別情報とを対応付けして登録するデータベースと、リーダライタ識別情報の送信を完了した場合に、前記データベースに登録されている該リーダライタ識別情報及び該リーダライタ識別情報が対応付けされている端末識別情報を削除する情報削除手段と、を備え、前記データベースに登録されている同一の端末識別情報に対応付けられている全てのリーダライタ識別情報を送信することを特徴とする請求項３に記載の携帯端末間通信装置。
【発明の詳細な説明】
【技術分野】
【０００１】
本発明は、掲示物に携帯端末を近づけた場合に、前記掲示物の掲示内容に関連する情報を前記携帯端末に外部出力させる情報提供システム、及びその情報提供システムで使用される携帯端末間通信装置に関する。
【背景技術】
【０００２】
特許文献１に、非接触ＩＣチップリーダライタを用いたポスター（地図ポスター）に関する発明が開示されている。特許文献１には、複数の非接触ＩＣチップリーダライタをポスターの背面に配置しておき、ユーザが関心のある施設（対応するリーダライタが背面に配意されている）に対し非接触ＩＣチップ内蔵のＰＤＡ（Personal Digital Assistant）をかざしたとき、ＰＤＡにＢｌｕｅｔｏｏｔｈホストのアドレスを送信する。これにより、ＰＤＡとＢｌｕｅｔｏｏｔｈホストとは互いに通信を確立させ、ＰＤＡがＢｌｕｅｔｏｏｔｈを介して施設の詳細情報を受信している。
【特許文献１】特開２００３−８５６５９号公報
【発明の開示】
【発明が解決しようとする課題】
【０００３】
ところで、同時に多数のユーザがポスターを利用することが想定される。この場合、同時に複数のユーザが、それぞれ所持する携帯端末をポスターにかざすことになり、複数の非接触ＩＣチップリーダライタを制御するコントローラ（リーダライタコントローラ）にアクセスが集中して、携帯端末との間で通信を確立するための処理ができなくなる。また、コントローラがネットワーク上にある場合には、ネットワークの状態によって輻輳が発生し、携帯端末との間で通信を確立するための処理ができなくなる。このように、携帯端末との間で通信を確立するための処理ができなくなると、ユーザが携帯端末をかざしているのにもかかわらず、携帯端末から情報を出力できなくなる。
本発明の課題は、同時に複数のユーザが、それぞれ所持する携帯端末をポスターにかざした場合でも、携帯端末において情報を確実に出力することである。
【課題を解決するための手段】
【０００４】
前記問題を解決するために、請求項１に記載の情報提供システムは、非接触ＩＣチップを搭載する携帯端末が、掲示物に表示されている複数の施設の何れかに近づいた場合に、前記携帯端末に前記施設に関連する情報を外部出力させる情報提供システムにおいて、前記複数の施設の表示に対応付けて前記掲示物に配置されて、前記非接触ＩＣチップにより前記携帯端末を検出するもので、リーダライタ識別情報により識別される複数の非接触ＩＣチップリーダライタと、前記携帯端末を検出した非接触ＩＣチップリーダライタのリーダライタ識別情報を該非接触ＩＣチップリーダライタを介して送信する送信手段と、前記送信手段が送信するリーダライタ識別情報を取得して、取得したリーダライタ識別情報に対応する施設に関連する情報を前記携帯端末に送信する情報管理サーバと、を備え、前記送信手段が、前記非接触ＩＣチップリーダライタのリーダライタ識別情報を送信する場合に、該リーダライタ識別情報に、該リーダライタ識別情報の非接触ＩＣチップリーダライタより前に前記携帯端末を検出し、送信が完了されていない非接触ＩＣチップリーダライタのリーダライタ識別情報を加えて送信しており、前記携帯端末が、前記情報管理サーバから送信されてくる前記施設に関する情報を外部出力することを特徴とする。
【０００５】
また、請求項２に記載の情報提供システムは、請求項１において、前記携帯端末が、端末識別情報を保持するものであり、前記携帯端末の端末識別情報と、該端末識別情報の携帯端末を検出した非接触ＩＣチップリーダライタのリーダライタ識別情報とを対応付けして登録するデータベースと、前記送信手段がリーダライタ識別情報の送信を完了した場合に、前記データベースに登録されている該リーダライタ識別情報及び該リーダライタ識別情報が対応付けされている端末識別情報を削除する情報削除手段と、を備え、前記送信手段が、前記データベースに登録されている同一の端末識別情報に対応付けられている全てのリーダライタ識別情報を送信することを特徴とする。
【０００６】
また、請求項３に記載の携帯端末間通信装置は、非接触ＩＣチップを搭載する携帯端末が、掲示物に表示されている複数の施設の何れかに近づいたことを非接触ＩＣチップリーダライタにより検出するものであり、その検出に対応して情報管理サーバが前記掲示物に掲示されている施設に関連する情報を前記携帯端末に送信し、前記携帯端末が前記掲示物に掲示されている施設に関連する情報を外部出力できるようにする携帯端末間通信装置であって、前記複数の施設の表示に対応付けて前記掲示物に配置されて、前記非接触ＩＣチップにより前記携帯端末を検出するもので、リーダライタ識別情報により識別される複数の非接触ＩＣチップリーダライタと、前記複数の非接触ＩＣチップリーダライタにおける処理を制御するリーダライタ制御手段と、を備え、前記リーダライタ制御手段が、前記非接触ＩＣチップリーダライタが前記携帯端末を検出した場合に、前記携帯端末を検出した前記非接触ＩＣチップリーダライタのリーダライタ識別情報を該非接触ＩＣチップリーダライタを介して送信しており、その送信をする場合には、該リーダライタ識別情報に、該リーダライタ識別情報の非接触ＩＣチップリーダライタより前に前記携帯端末を検出し、送信が完了されていない非接触ＩＣチップリーダライタのリーダライタ識別情報を加えて送信し、前記情報管理サーバが、前記リーダライタ制御手段が送信するリーダライタ識別情報を取得して、取得したリーダライタ識別情報に対応する施設に関連する情報を前記携帯端末に送信し、前記携帯端末が、前記情報管理サーバから送信されてくる情報を外部出力することを特徴とする。
【０００７】
また、請求項４に記載の携帯端末間通信装置は、請求項３において、前記携帯端末が、端末識別情報を保持するものであり、前記リーダライタ制御手段が、前記携帯端末の端末識別情報と、該端末識別情報の携帯端末を検出した非接触ＩＣチップリーダライタのリーダライタ識別情報とを対応付けして登録するデータベースと、リーダライタ識別情報の送信を完了した場合に、前記データベースに登録されている該リーダライタ識別情報及び該リーダライタ識別情報が対応付けされている端末識別情報を削除する情報削除手段と、を備え、前記データベースに登録されている同一の端末識別情報に対応付けられている全てのリーダライタ識別情報を送信することを特徴とする。
【発明の効果】
【０００８】
本発明によれば、非接触ＩＣチップリーダライタのリーダライタ識別情報を送信する場合に、該リーダライタ識別情報に、該リーダライタ識別情報の非接触ＩＣチップリーダライタより前に携帯端末を検出し、送信が完了されていない非接触ＩＣチップリーダライタのリーダライタ識別情報を加えて送信することで、同時に複数のユーザが、それぞれ所持する携帯端末を掲示物にかざしたこと等により、送信手段又はリーダライタ制御手段に処理が集中して送信できなかったリーダライタ識別情報を、携帯端末との間で通信が確立した非接触ＩＣチップリーダライタを介して送信できる。これにより、携帯端末を検出した全ての非接触ＩＣチップリーダライタのリーダライタ識別情報を携帯端末に送信することができ、携帯端末では、リーダライタ識別情報に基づき、漏れなく情報を出力することができる。
【０００９】
また、本発明によれば、送信手段又はリーダライタ制御手段により送信が完了されていないリーダライタ識別情報をデータベースに登録し、非接触ＩＣチップリーダライタが携帯端末との間で通信が確立した場合に、該非接触ＩＣチップリーダライタを介してそれまでにデータベースに登録された未送信のリーダライタ識別情報をも含めて該携帯端末に送信できる。これにより、携帯端末を検出した全ての非接触ＩＣチップリーダライタのリーダライタ識別情報を携帯端末に送信することを実現している。
【発明を実施するための最良の形態】
【００１０】
本発明を実施するための最良の形態（以下、実施形態という。）を図面を参照しながら詳細に説明する。
（構成）
図１は、本発明を適用した情報提供システムの構成を示す。
図１に示すように、情報提供システムは、非接触ＩＣチップ搭載の携帯端末２００、非接触ＩＣチップＲＷ（リーダライタ）１０２により携帯端末２００との間で通信を行う携帯端末間通信装置（ＲＷシステム）１０１、及び携帯端末２００にコンテンツを配信するコンテンツ配信サーバ３００により構成される。携帯端末間通信装置１０１は、ＲＷコントローラ１１０を備えている。
【００１１】
（非接触ＩＣチップＲＷ１０２の構成）
非接触ＩＣチップＲＷ１０２は、ポスター１００の背面の所定箇所に配置されており、携帯端末２００に付属する非接触ＩＣチップとの間で情報を通信できるようになっている。非接触ＩＣチップＲＷ１０２は、例えば、認証可能な機能をもつ駅の改札、決済可能な機能をもつ決済用デバイス等を実現する非接触ＩＣカード技術で用いられている非接触ＩＣチップＲＷである。
【００１２】
ポスター１００は、例えば駅構内の地図の道案内板や、街中の施設案内図である。ポスター１００は、外見は通常のポスターで、このポスター１００には、施設及びその名称が表示されている。このようなポスター１００上の施設の表示に対応して、非接触ＩＣチップＲＷ１０２が、ポスター１００の背面に配置された、施設情報出力用の非接触ＩＣチップＲＷを構成している。
【００１３】
（ＲＷコントローラ１１０の構成）
ＲＷコントローラ１１０は、非接触ＩＣチップＲＷ１０２に関する処理を制御する。
図２は、ＲＷコントローラ１１０の構成例を示す。
図２に示すように、ＲＷコントローラ１１０は、端末ＩＤ読取部１１１、ＲＷ−ＩＤ取得部１１２、コンテンツＵＲＬ作成部１１４、コンテンツＵＲＬ送信部１１５、入力端末登録部１１６、出力済端末削除部１１７、出力ＲＷ決定部１１８、未出力施設取得部１１９及び未出力施設管理ＤＢ１２０を備える。
【００１４】
図３は、ＲＷコントローラ１１０における処理手順を示す。この図３の示す処理手順に従い、前記図２に示すＲＷコントローラ１１０の各構成部分の処理内容を説明する。
図３に示すように、処理を開始すると、ステップＳ１において、端末ＩＤ読取部１１１は、ＩＣチップ搭載の携帯端末２００がかざされるのを待つ（携帯端末２００の非接触ＩＣチップを非接触ＩＣチップＲＷ１０２で読み取る（検出する）ことができたか否かを判定する）。
【００１５】
ここで、端末ＩＤ読取部１１１は、携帯端末２００がかざされたときに、非接触ＩＣチップＲＷ１０２を介して該携帯端末２００の非接触ＩＣチップから該携帯端末２００の端末ＩＤ（非接触ＩＣチップのＩＤ）を読み取るように構成されている。また、携帯端末２００が複数の場合、端末ＩＤ読取部１１１は、各携帯端末２００の端末ＩＤを読み取る。すなわち、複数の携帯端末２００がそれぞれ非接触ＩＣチップＲＷ１０２にかざされている場合、端末ＩＤ読取部１１１は、各非接触ＩＣチップＲＷ１０２を介して各携帯端末２００の非接触ＩＣチップから該携帯端末２００の端末ＩＤを読み取る。例えば、携帯端末２００をもつユーザが複数いて、各ユーザが、ポスター１００に表示されている各施設に携帯電話２００にかざしているような場合、端末ＩＤ読取部１１１は、それら携帯端末２００の非接触ＩＣチップから端末ＩＤをそれぞれ読み取る。
【００１６】
このステップＳ１において、非接触ＩＣチップＲＷ１０２に携帯端末２００がかざされた場合、ステップＳ２に進む。このとき端末ＩＤ読取部１１１は、該携帯端末２００の端末ＩＤも取得する。
続いてステップＳ２において、ＲＷ−ＩＤ取得部１１２は、携帯端末２００から端末ＩＤを読み取ったポスター１００に設置の非接触ＩＣチップＲＷ１０２のＩＤ（ＲＷ  ＩＤ）を取得する。すなわち、携帯端末２００がかざされた施設の表示に対応する非接触ＩＣチップＲＷ１０２のＩＤを取得する。また、携帯端末２００が複数の場合、各携帯端末２００がかざされたポスター１００に表示の施設に対応する非接触ＩＣチップＲＷ１０２のＩＤをそれぞれ取得する。
【００１７】
続いてステップＳ３において、入力端末登録部１１６は、ステップＳ１（端末ＩＤ読取部１１１）で取得した端末ＩＤとステップＳ２（ＲＷ−ＩＤ取得部１１２）で取得したＲＷ  ＩＤとを対応付けして未出力施設管理ＤＢ１２０に登録する。また、複数の携帯端末２００が用いられている場合、すなわち、前記ステップＳ１（端末ＩＤ読取部１１１）で複数の端末ＩＤを読み取っている場合、各端末ＩＤと、該端末ＩＤを取得した非接触ＩＣチップＲＷ１０２のＩＤとを対応付けして未出力施設管理ＤＢ１２０に登録する。さらに、入力端末登録部１１６は、携帯端末２００がかざされた時刻又は携帯端末２００を検出した時刻、すなわちＲＷ  ＩＤの登録時刻又は書き込み時刻も登録する。
【００１８】
続いてステップＳ４において、未出力施設取得部１１９は、未出力施設管理ＤＢ１２０を参照して、端末ＩＤに対応付けされているＲＷ  ＩＤを全て取得する。ここで、前記ステップＳ３で未出力施設管理ＤＢ１２０に端末ＩＤが複数登録された場合には、未出力施設取得部１１９は、複数の端末ＩＤのごとに、端末ＩＤに対応付けされているＲＷ  ＩＤを取得する。
【００１９】
続いてステップＳ５において、出力ＲＷ決定部１１８は、未出力施設管理ＤＢ１２０を参照して、携帯端末２００が現在かざしている非接触ＩＣチップＲＷ１０２、すなわち、ＲＷ  ＩＤの登録時刻が新しい非接触ＩＣチップＲＷ１０２を、後述のステップＳ６（コンテンツＵＲＬ作成部１１４）で作成したコンテンツのＵＲＬを携帯端末２００に送信するための非接触ＩＣチップＲＷとして決定する。ここで、ステップＳ６（コンテンツＵＲＬ作成部１１４）で複数の各端末ＩＤごとにコンテンツのＵＲＬを作成するような場合、未出力施設管理ＤＢ１２０を参照して、各端末ＩＤごとに、ＲＷ  ＩＤの登録時刻が新しい非接触ＩＣチップＲＷ１０２を、該各端末ＩＤごとに作成したコンテンツのＵＲＬを送信するための非接触ＩＣチップＲＷとして決定する。
【００２０】
ステップＳ６では、コンテンツＵＲＬ作成部１１４は、前記ステップＳ４（未出力施設取得部１１９）で取得したＲＷ  ＩＤを全て含むように、コンテンツのＵＲＬを作成する。ここで作成するコンテンツのＵＲＬは、コンテンツ配信サーバ３００からコンテンツ（施設情報）を取得するためのＵＲＬ、すなわち施設情報取得用のコンテンツのＵＲＬである。
【００２１】
ここで、未出力施設管理ＤＢ１２０に端末ＩＤが複数登録されている場合に対応して、前記ステップＳ４（未出力施設取得部１１９）で、複数の端末ＩＤのごとに、端末ＩＤに対応付けされているＲＷ  ＩＤを取得している場合には、コンテンツＵＲＬ作成部１１４は、各端末ＩＤごとに、ＲＷ  ＩＤを全て含むようにコンテンツのＵＲＬを作成する。
続いてステップＳ７において、コンテンツＵＲＬ送信部１１５は、前記ステップＳ６（コンテンツＵＲＬ作成部１１４）で作成したコンテンツのＵＲＬを出力ＲＷ決定部１１８で決定した非接触ＩＣチップＲＷ１０２を介して携帯端末２００に送信する。
【００２２】
続いてステップＳ８において、前記ステップＳ７（コンテンツＵＲＬ送信部１１５）で行う携帯端末２００への送信が完了したか（実行できたか）否かを判定する。例えば、この判定をコンテンツＵＲＬ送信部１１５が行う。具体的には、前記ステップＳ７で、各端末ＩＤごとに作成したコンテンツのＵＲＬを、該各端末ＩＤの携帯端末２００全てについて送信完了したか否かを判定する。ここで、携帯端末２００への送信が完了した場合（各端末ＩＤの携帯端末２００の何れかについて送信が完了した場合）、ステップＳ９に進み、携帯端末２００への送信が完了していない場合（各端末ＩＤの携帯端末２００全てについて送信が完了されていない場合）、前記ステップＳ１からの処理を再び行う。
【００２３】
ステップＳ９では、出力済端末削除部１１７は、未出力端末管理ＤＢ１２０に登録されている登録情報、すなわち、端末ＩＤとそれに対応付けられているＲＷ  ＩＤとを削除する。ここで、未出力端末管理ＤＢ１２０に複数の端末ＩＤが登録されている場合には、出力済端末削除部１１７は、前記コンテンツＵＲＬ送信部１１５がコンテンツのＵＲＬの送信を完了した端末ＩＤだけについて、該端末ＩＤとそれに対応付けられているＲＷ  ＩＤとを未出力端末管理ＤＢ１２０から削除する。そして、当該図３に示すステップＳ１からの処理を再び開始する。
【００２４】
以上の処理により、端末ＩＤに対応して作成したコンテンツのＵＲＬの送信が完了しない限り、未出力端末管理ＤＢ１２０から端末ＩＤが削除されることなく、該端末ＩＤに対して、ＲＷ  ＩＤの対応付けがなされていく。すなわち、端末ＩＤに対応付けされるＲＷ  ＩＤが蓄積されていく。そして、端末ＩＤに対応して作成したコンテンツのＵＲＬの送信が完了したとき、未出力端末管理ＤＢ１２０からそれら登録情報が削除される。このとき、送信完了した端末ＩＤに対応して作成したコンテンツのＵＲＬには、該端末ＩＤに対応付けされていた全てのＲＷ  ＩＤが含まれている。
【００２５】
図４は、未出力施設管理ＤＢ１２０の構成例を示す。
図４に示すように、未出力施設管理ＤＢ１２０は、端末ＩＤ、ＲＷ  ＩＤ及び登録時刻の対応テーブルである。携帯端末２００を検出した非接触ＩＣチップＲＷ１０２のＩＤ（ＲＷ  ＩＤ）が、その登録時刻（読み取り時刻）とともに、該携帯端末２００の端末ＩＤに対応付けされて登録される。
この例は、端末ＩＤ＝１２３２２４２４２の携帯端末２００を、ＲＷ  ＩＤ＝１の非接触ＩＣチップＲＷ１０２が１１時３０分４５秒に検出し、ＲＷ  ＩＤ＝１０の非接触ＩＣチップＲＷ１０２が１１時３０分５０秒に検出し、ＲＷ  ＩＤ＝８の非接触ＩＣチップＲＷ１０２が１１時３０分５５秒に検出し、その一方で、端末ＩＤ＝１１２２３３４４５の携帯端末２００を、ＲＷ  ＩＤ＝９の非接触ＩＣチップＲＷ１０２が１１時３０分４５秒に検出し、ＲＷ  ＩＤ＝２の非接触ＩＣチップＲＷ１０２が１１時３０分５２秒に検出し、ＲＷ  ＩＤ＝５の非接触ＩＣチップＲＷ１０２が１１時３０分５５秒に検出した例である。
【００２６】
なお、未出力施設管理ＤＢ１２０への登録時刻から所定時間経過した登録ＲＷ  ＩＤについては、不要になることから、削除することもできる。また、未出力施設管理ＤＢ１２０に登録されている登録ＲＷ  ＩＤの数（端末ＩＤごとの数）が所定数を越えた場合には、携帯端末２００への通信量が多くなることから、該所定数の登録ＲＷ  ＩＤのうち、登録時刻が古いものを削除することもできる。
【００２７】
（携帯端末２００の構成）
携帯端末２００は、ユーザが所有するものであり、無線によるデータ通信機能が可能な端末である。また、携帯端末２００は、インターネット等のネットワークを介してコンテンツ配信サーバ３００と接続可能とされている。携帯端末２００としては、例えば携帯電話、ＰＨＳ（Personal Handyphone System）及び無線通信カードを備えたＰＤＡ（Personal Digital Assistant）等が挙げられる。そして、携帯端末２００は、非接触ＩＣチップを搭載している。
【００２８】
図５は、携帯端末２００の構成例を示す。
図５に示すように、携帯端末２００は、端末ＩＤ格納部２０１、データ送受信部２０２、コンテンツ取得部２０３及びコンテンツ表示部２０４を備える。
このような構成において、端末ＩＤ格納部２０１は、具体的には非接触ＩＣチップであり、該携帯端末２００のＩＤ（具体的には該非接触ＩＣチップのＩＤ）を格納している。データ送受信部２０２は、非接触ＩＣチップＲＷ１０２との間及びコンテンツ配信サーバ３００との間でデータの送受信に関する処理を行う。コンテンツ取得部２０３は、データ送受信部２０２が受信したコンテンツのＵＲＬにアクセスして、ネットワーク上からコンテンツを取得する。コンテンツ表示部２０４は、コンテンツを携帯端末２００において表示する。
【００２９】
図６は、以上のような構成を有する携帯端末２００における処理手順を示す。
図６に示すように、処理を開始すると、データ送受信部２０２は、ポスター１００の非接触ＩＣチップＲＷ１０２を介してコンテンツ（施設情報取得用のコンテンツ）のＵＲＬを受信したか否かを判定する。ここで、コンテンツのＵＲＬを受信した場合、ステップＳ１２に進む。
【００３０】
続いてステップＳ１２において、コンテンツ表示部２０４は、前記ステップＳ１１（データ送受信部２０２）で受信したコンテンツのＵＲＬ（リンク先）を表示する。ＩＣチップＲＷ１０２からは、コンテンツのＵＲＬの他に、ユーザが携帯端末２００でコンテンツの取得操作するための画面表示をするためのデータ（例えば、ＲＷコントローラ１１０において作成のデータ）も送信されてきており、コンテンツ表示部２０４は、ＩＣチップＲＷ１０２から送信されてきたデータに基づいて、コンテンツの取得操作をするための画面表示をしている。
【００３１】
続いてステップＳ１３において、コンテンツ取得部２０３は、前記ステップＳ１２（コンテンツ表示部２０４）でコンテンツのＵＲＬを表示（コンテンツの取得操作をするための画面表示）したことに対応し、ユーザが携帯端末２００によりコンテンツの取得操作をしたか否か、例えばコンテンツへのリンクの表示部分をクリックしたか否かを判定する。
このステップＳ１３でユーザが携帯端末２００によりコンテンツの取得操作をするのを待ち、ユーザによりコンテンツの取得操作がなされた場合、ステップＳ１４に進む。ここで、ＲＷ  ＩＤが複数の場合には、複数のＲＷ  ＩＤについてコンテンツのＵＲＬが送信されてきて、該コンテンツについて取得操作が可能とされていることから、一部又は全部のコンテンツについて取得操作がされた場合に、ステップＳ１４に進む。
【００３２】
ステップＳ１４において、コンテンツ取得部２０３は、前記ステップＳ１３でユーザがコンテンツの取得操作をしたコンテンツのＵＲＬにアクセスする。具体的には、コンテンツ取得部２０３は、ネットワーク４００上のコンテンツ配信サーバ３００に対して、取得操作がなされたコンテンツのＵＲＬに含まれているＲＷ  ＩＤを送信し、コンテンツ（施設情報）を取得する。
続いてステップＳ１５において、コンテンツ表示部２０４は、コンテンツ取得部２０３で取得したコンテンツ（施設情報）を携帯端末２００において表示する。そして、当該図６に示すステップＳ１１からの処理を再び開始する。
【００３３】
（コンテンツ配信サーバ３００の構成）
コンテンツ配信サーバ３００は、インターネット等のネットワーク４００上に配置されており、ポスター１００に対して行ったユーザからのコンテンツ取得要求（ユーザが携帯端末２００をポスター１００に表示の施設にかざした行為）に対応し、ユーザが指定した施設に関する情報を取得し、取得した施設に関する情報を携帯端末２００に配信する。
【００３４】
図７は、コンテンツ配信サーバ３００の構成例を示す。
図７に示すように、コンテンツ配信サーバ３００は、コンテンツ取得要求受信部３０２、ユーザ指定ＲＷ−ＩＤ取得部３０３、コンテンツ作成部３０５、コンテンツ送信部３０６、ユーザ指定施設取得部３０９、施設情報取得部３１０、ＲＷ−施設対応ＤＢ（データベース）３３０及び施設情報ＤＢ３４０を備える。
【００３５】
このような構成において、コンテンツ取得要求受信部３０２は、携帯端末２００からコンテンツの取得要求を受信する。ユーザ指定ＲＷ−ＩＤ取得部３０３は、コンテンツの取得要求からユーザが指定した（携帯端末２００をかざした）非接触ＩＣチップＲＷのＩＤ（ＲＷ  ＩＤ）を取得する。ユーザ指定施設取得部３０９は、ＲＷ−施設対応ＤＢ３３０を参照することで、ユーザ指定ＲＷ−ＩＤ取得部３０３が取得したＲＷ  ＩＤに基づいて、ポスター１００上でユーザが指定した（携帯端末２００をかざした）施設のＩＤ（施設ＩＤ）を取得する。
【００３６】
図８は、ＲＷ−施設対応ＤＢ３３０の構成例を示す。
図８に示すように、ＲＷ−施設対応ＤＢ３３０は、ポスター１００上に表示されている施設のＩＤ（施設ＩＤ）と、その施設の表示に対応してポスター１００の背面に配置されている非接触ＩＣチップＲＷのＩＤ（ＲＷ  ＩＤ）との対応テーブルである。この例では、ＲＷ  ＩＤ＝１，２，３に、施設ＩＤ＝１００，１０１，１０２がそれぞれ対応付けされている。
また、施設情報取得部３１０は、施設コンテンツＤＢ３４０を参照して、ユーザ指定施設取得部３０９が取得した施設ＩＤに対応する施設の情報（詳細情報）を取得する。コンテンツ作成部３０５は、施設情報取得部３１０が取得した施設情報からなるコンテンツを作成する。
【００３７】
図９は、施設情報ＤＢ３４０の構成例を示す。
図９に示すように、施設情報ＤＢ３４０は、各施設のＩＤと該施設のコンテンツ（コンテンツのＵＲＬ）との対応テーブルである。この例は、施設のＩＤ＝１００，１０１，１０２に、コンテンツのＵＲＬとして、「sample1.html」，「sample2.html」，「sample3.html」がそれぞれ対応付けされている。
そして、コンテンツ送信部３０６は、コンテンツ作成部３０５が作成したコンテンツ（コンテンツのＵＲＬ）を携帯端末２００に送信する。
【００３８】
図１０は、以上のような構成からなるコンテンツ配信サーバ３００の処理手順を示す。
図１０に示すように、処理を開始すると、コンテンツ取得要求受信部３０２は、ステップＳ２１において、携帯端末２００からのコンテンツ取得要求を待つ（コンテンツ取得要求を受信したか否かを判定する）。携帯端末２００からコンテンツ取得要求があった場合、ステップＳ２２に進む。
【００３９】
ステップＳ２２では、ユーザ指定ＲＷ−ＩＤ取得部３０３は、コンテンツ取得要求内に含まれるＲＷ  ＩＤ（施設情報取得用のコンテンツのＵＲＬ内に含まれるＲＷ  ＩＤ）を取得する。また、コンテンツ取得要求内にＲＷ  ＩＤが複数含まれる場合、すなわち、携帯端末２００においてユーザにより複数のコンテンツの取得操作がなされた場合には、それら全てのＲＷ  ＩＤを取得する。
続いてステップＳ２３において、ユーザ指定施設取得部３０９は、ＲＷ−施設対応ＤＢ３３０を参照して、前記ステップＳ２２（ユーザ指定ＲＷ−ＩＤ取得部３０３）で取得したＲＷ  ＩＤに対応付けされている施設ＩＤを取得する。
【００４０】
続いてステップＳ２４において、施設情報取得部３１０は、施設情報ＤＢ３４０を参照して、前記ステップＳ２３（ユーザ指定施設取得部３０９）で取得した施設ＩＤに対応する施設情報を取得する。
続いてステップＳ２５において、コンテンツ作成部３０５は、前記ステップＳ２４（施設情報取得部３１０）で取得した施設情報からなるコンテンツを作成する。
続いてステップＳ２６において、コンテンツ送信部３０６は、前記ステップＳ２５（コンテンツ作成部３０５）で作成したコンテンツを携帯端末２００に送信する。そして、当該図１０に示すステップＳ２１からの処理を再び開始する。
【００４１】
（動作）
情報提供システムにおける一連の動作は次のようになる。
ユーザがポスター１００上の施設の表示部分に携帯端末２００を近づける。例えば、図１１に示すような形態をなすポスター１００に対して、ユーザが、図１２に示すように、施設の表示部分１０３に携帯端末２００を近づける（同図中矢示Ａ１の動作）。
このようなユーザの動作により、施設の表示部分に対応してポスター１００の背面に配置された非接触ＩＣチップＲＷ１０２が、携帯端末２００に搭載されたＩＣチップを検知する。この検知により、ＲＷコントローラ１１０が、携帯端末２００の端末ＩＤと、該携帯端末２００に実装された非接触ＩＣチップを検知した非接触ＩＣチップＲＷ１０２のＩＤ（ＲＷ  ＩＤ）を取得し、取得したそれら端末ＩＤとＲＷ  ＩＤとを対応付けして未出力施設管理ＤＢ１２０に登録する。そして、後述の携帯端末２００へのコンテンツのＵＲＬの送信が完了するまで、ＲＷコントローラ１１０が、該携帯端末２００がかざされた非接触ＩＣチップＲＷ１０２のＩＤを、該携帯端末２００の端末ＩＤに対応付けて未出力施設管理ＤＢ１２０に登録していく。これにより、前記図４に示すように、未出力施設管理ＤＢ１２０には、端末ＩＤの項目に、該端末ＩＤの携帯端末２００がかざされた非接触ＩＣチップＲＷ１０２のＩＤが登録される。
【００４２】
一方、ＲＷコントローラ１１０は、未出力施設管理ＤＢ１２０を参照して、端末ＩＤに対応付けされているＲＷ  ＩＤを全て取得する。前記図４を例にすると、端末ＩＤ＝１２３２２４２４２については、全てのＲＷ  ＩＤとして、「１」、「１０」、「８」を取得し、端末ＩＤ＝１１２２３３４４５については、全てのＲＷ  ＩＤとして、「９」、「２」、「５」を取得する。
【００４３】
そして、ＲＷコントローラ１１０は、端末ＩＤについて取得した全てのＲＷ  ＩＤを含むように、コンテンツ（施設情報取得用のコンテンツ）のＵＲＬを作成する。例えば、ＲＷ  ＩＤ＝１のものについては、「http://***.shutoku/servlet?rw=1」とし、ＩＤ＝１０のものについては、「http://***.shutoku/servlet?rw=10」とし、ＩＤ＝８のものについては、「http://***.shutoku/servlet?rw=８」として、コンテンツのＵＲＬを作成する。ＲＷコントローラ１１０は、このように作成したコンテンツのＵＲＬを、未出力施設管理ＤＢ１２０で登録時刻が新しいＲＷ  ＩＤの非接触ＩＣチップＲＷ１０２を介して携帯端末２００に送信する。前記図４における端末ＩＤ＝１２３２２４２４２を例にすると、ＲＷ  ＩＤ＝８の登録時刻が、１１時３０分５５秒で一番新しい登録時刻になるので、ＲＷ  ＩＤ＝８の非接触ＩＣチップＲＷ１０２を介して、端末ＩＤ＝１２３２２４２４２の携帯端末２００に、該端末ＩＤ＝１２３２２４２４２の携帯端末２００用に作成したコンテンツのＵＲＬを送信する。
【００４４】
そして、ＲＷコントローラ１１０は、携帯端末２００へのコンテンツのＵＲＬの送信を完了した場合、該携帯端末２００の端末ＩＤを、それに対応付けされている全てのＲＷ  ＩＤとともに、出力施設管理ＤＢ１２０から削除する。
このとき、携帯端末２００では、表示部にコンテンツのＵＲＬ等が表示される。図１３は、そのときの携帯端末２００の表示部２０５への表示例を示す。図１３に示すように、携帯端末２００では、表示部２０５に各ＲＷ  ＩＤに対応するコンテンツのリンク先（「○○○デパート」、「△△△書店」、「○○○ビル」）が表示される。そして、携帯端末２００の表示部に表示されているコンテンツへのリンクの表示部分をユーザが選択、例えばクリックすることで、携帯端末２００がコンテンツ配信サーバ３００に接続される。
【００４５】
これにより、コンテンツ配信サーバ３００では、ＲＷ−施設対応ＤＢ３３０を参照して、コンテンツのＵＲＬ内に含まれているＲＷ  ＩＤ（ユーザが携帯端末２００で選択した施設にリンク先に対応するＲＷ  ＩＤ）に対応付けされている施設ＩＤを取得する。そして、コンテンツ配信サーバ３００では、施設情報ＤＢ３４０を参照して、取得した施設ＩＤに対応付けされている施設情報を取得する。
【００４６】
例えば、ＲＷ−施設対応ＤＢ３３０の登録情報が図８のように構成され、施設情報ＤＢ３４０の登録情報が図９のように構成されている場合において、非接触ＩＣチップＲＷ１０２のＩＤが１のときには、対応する施設ＩＤは１００になる（図８参照）。これにより、コンテンツ配信サーバ３００では、施設情報ＤＢ３４０を参照して、施設ＩＤ＝１００に対応付けされている施設情報として、「sample1.html」をコンテンツのＵＲＬとして取得する。
【００４７】
そして、コンテンツ配信サーバ３００は、取得した施設情報から携帯端末２００に配信するコンテンツ（施設情報のコンテンツ）を作成し、作成したコンテンツを携帯端末２００に配信する。これにより、携帯端末２００では、該携帯端末２００がかざされた施設の情報（詳細情報）を表示部に表示する。図１４は、そのときの携帯端末２００の表示部２０５への表示例を示す。この表示例は、前記図１３に示すようにコンテンツのリンク先が表示されている場合に、「○○○デパート」の項目をユーザが選択したときの施設「○○○デパート」についてのコンテンツの表示例となる。また、この表示例では、「レストラン情報」、「衣料品店」情報、「セールス情報」、「喫茶店」情報及び「ＡＴＭ」情報といったように、「○○○デパート」内の店舗をカテゴリ別に表示し、カテゴリ別でユーザが選択できるような表示になっている。
【００４８】
（作用及び効果）
作用及び効果は次のようになる。
前述のように、携帯端末２００の端末ＩＤと、該端末ＩＤの携帯端末２００を検出した非接触ＩＣチップＲＷ１０２のＩＤ（ＲＷ  ＩＤ）とを対応付けして登録する未出力端末管理ＤＢ１２０と、未出力端末管理ＤＢ１２０に登録されている同一の端末ＩＤに対応付けられている全てのＲＷ  ＩＤをコンテンツのＵＲＬとして送信するためのコンテンツＵＲＬ作成部１１４及びコンテンツＵＲＬ送信部１１５と、コンテンツＵＲＬ送信部１１５がＲＷ  ＩＤの送信を完了した場合に、未出力端末管理ＤＢ１２０に登録されている端末ＩＤと、該端末ＩＤに対応付けされているＲＷ  ＩＤとを削除する出力済端末削除部１１７とを備えている。
【００４９】
これにより、送信を完了できていないＲＷ  ＩＤを未出力端末管理ＤＢ１２０に登録し、非接触ＩＣチップＲＷ１０２が携帯端末２００との間で通信が確立した場合に、該非接触ＩＣチップＲＷ１０２を介して、それまでに未出力端末管理ＤＢ１２０に登録されたＲＷ  ＩＤを該携帯端末２００に送信することができる。すなわち、携帯端末２００との間で通信が確立した非接触ＩＣチップリーダＲＷ１０２により、該非接触ＩＣチップリーダＲＷ１０２のＲＷ  ＩＤに、該非接触ＩＣチップＲＷ１０２より前に携帯端末２００を検出し、送信が完了されていない非接触ＩＣチップＲＷのＩＤをもまとめて送信することができる。例えば、ＲＷコントローラ１１０に処理が集中して送信することができなかったＲＷ  ＩＤも携帯端末２００に送信することができる。
このように、携帯端末２００を検出した全ての非接触ＩＣチップＲＷ１０２のＩＤ（ＲＷ  ＩＤ）を携帯端末２００に送信することができ、携帯端末２００では、ＲＷ  ＩＤに基づき、漏れなくＲＷ  ＩＤに対応する施設に関する情報を出力することができる。
【００５０】
なお、前述の実施形態では、携帯端末間通信装置１０１は、非接触ＩＣチップを搭載する携帯端末が、掲示物に表示されている複数の施設の何れかに近づいたことを非接触ＩＣチップリーダライタにより検出するものであり、その検出に対応して情報管理サーバが前記掲示物に掲示されている施設に関連する情報を前記携帯端末に送信し、前記携帯端末が前記掲示物に掲示されている施設に関連する情報を外部出力できるようにする携帯端末間通信装置を実現しており、非接触ＩＣチップＲＷ１０２は、前記複数の施設の表示に対応付けて前記掲示物に配置されて、前記非接触ＩＣチップにより前記携帯端末を検出するもので、リーダライタ識別情報により識別される複数の非接触ＩＣチップリーダライタを実現しており、ＲＷコントローラ１１０は、前記複数の非接触ＩＣチップリーダライタにおける処理を制御するリーダライタ制御手段を実現しており、前記リーダライタ制御手段が、前記非接触ＩＣチップリーダライタが前記携帯端末を検出した場合に、前記携帯端末を検出した前記非接触ＩＣチップリーダライタのリーダライタ識別情報を該非接触ＩＣチップリーダライタを介して送信しており、その送信をする場合には、該リーダライタ識別情報に、該リーダライタ識別情報の非接触ＩＣチップリーダライタより前に前記携帯端末を検出し、送信が完了されていない非接触ＩＣチップリーダライタのリーダライタ識別情報を加えて送信し、前記情報管理サーバが、前記リーダライタ制御手段が送信するリーダライタ識別情報をネットワークを介して取得して、取得したリーダライタ識別情報に対応する施設に関連する情報を前記携帯端末に送信し、前記携帯端末が、前記情報管理サーバから送信されてくる情報を外部出力することを実現している。
【００５１】
また、前述の実施形態では、未出力施設管理ＤＢ１２０は、前記携帯端末の端末識別情報と、該端末識別情報の携帯端末を検出した非接触ＩＣチップリーダライタのリーダライタ識別情報とを対応付けして登録するデータベースを実現しており、出力済端末削除部１１７は、リーダライタ識別情報の送信を完了した場合に、前記データベースに登録されている該リーダライタ識別情報及び該リーダライタ識別情報が対応付けされている端末識別情報を削除する情報削除手段を実現しており、前記データベースに登録されている同一の端末識別情報に対応付けられている全てのリーダライタ識別情報を送信することを実現している。
また、前述の実施形態では、ＲＷコントローラ１１０は、携帯端末を検出した非接触ＩＣチップリーダライタのリーダライタ識別情報を該非接触ＩＣチップリーダライタを介して送信する送信手段を実現している。
【図面の簡単な説明】
【００５２】
【図１】本発明の実施形態の情報提供システムの構成を示す図である。
【図２】情報提供システムのＲＷコントローラの構成例を示す図である。
【図３】ＲＷコントローラの処理手順を示すフローチャートである。
【図４】未出力端末管理ＤＢの構成例を示す図である。
【図５】情報提供システムにおける携帯端末の構成例を示す図である。
【図６】携帯端末の処理手順を示すフローチャートである。
【図７】情報提供システムのコンテンツ配信サーバの構成例を示す図である。
【図８】コンテンツ配信サーバのＲＷ−施設対応ＤＢの構成例を示す図である。
【図９】コンテンツ配信サーバの施設コンテンツＤＢの構成例を示す図である。
【図１０】コンテンツ配信サーバの処理手順を示すフローチャートである。
【図１１】ポスターの表示例を示す図である。
【図１２】ユーザがポスターの施設の表示部分に携帯端末を近づける動作の説明に使用した図である。
【図１３】ポスター上の施設の表示部分に携帯端末を近づけたときの該携帯端末の表示部への表示例を示す図である。
【図１４】携帯端末の表示部への施設情報の表示例を示す図である。
【符号の説明】
【００５３】
１００  ポスター、１０１  携帯端末間通信装置、１０２  非接触ＩＣチップＲＷ１０２、１１０  ＲＷコントローラ、１１１  端末ＩＤ読取部、１１２  ＲＷ−ＩＤ取得部、１１４  コンテンツＵＲＬ作成部、１１５  コンテンツＵＲＬ送信部、１１６  入力端末登録部、１１７  出力済端末削除部、１１８  出力ＲＷ決定部、１１９  未出力施設取得部、１２０  未出力施設管理ＤＢ、２００  携帯端末、２０１  端末ＩＤ格納部、２０２  データ送受信部、２０３  コンテンツ取得部、２０４  コンテンツ表示部、３００  コンテンツ配信サーバ、３０２  コンテンツ取得要求受信部、３０３  ユーザ指定ＲＷ−ＩＤ取得部、３０５  コンテンツ作成部、３０６  コンテンツ送信部、３０９  ユーザ指定施設取得部、３１０  施設情報取得部、３３０  ＲＷ−施設対応ＤＢ、３４０  施設情報ＤＢ
【図１】
2008083936.tif 000003
【図２】
2008083936.tif 000004
【図３】
2008083936.tif 000005
【図４】
2008083936.tif 000006
【図５】
2008083936.tif 000007
【図６】
2008083936.tif 000008
【図７】
2008083936.tif 000009
【図８】
2008083936.tif 000010
【図９】
2008083936.tif 000011
【図１０】
2008083936.tif 000012
【図１１】
2008083936.tif 000013
【図１２】
2008083936.tif 000014
【図１３】
2008083936.tif 000015
【図１４】
2008083936.tif 000016